(57)【要約】【課題】ケーシング本体の開口にフランジを確実に取り付けることができるケーシングを提供する。【解決手段】円形の開口１１を有するケーシング本体１０と、開口１１に取り付けられるリング状のフランジ２０とを備えている。ケーシング本体１０には、開口１１の周縁の２ヶ所に切欠き部１００が形成され、各切欠き部１００は、径方向外側への切欠き長さが異なる３つの凹部１１０等を有し、径方向外側への切欠き長さが長い順に第１、第２、第３凹部とされている。フランジ２０には、各切欠き部１１０に向かって突出する突出片２００が形成され、各突出片２００は、径方向外側への突出長さが異なる２つの段部２１０等を先端に有し、突出片２００の先端側から径方向外側への突出長さが長い順に第１、第２段部とされている。第１段部は、第１凹部を挿通可能かつ第２凹部を挿通不能であり、第２凹部より径方向外側に位置するケーシング本体の裏面に係止可能である。【選択図】図１
2008138459.tif 000002
【特許請求の範囲】
【請求項１】
円形の開口を有するケーシング本体と、該開口に取り付けられるリング状のフランジとを備えているケーシングにおいて、
前記ケーシング本体には、前記開口の周縁の２ヶ所以上に切欠き部が形成され、
各該切欠き部は、径方向外側への切欠き長さが異なる３つ以上の凹部を有し、
各該凹部は、径方向外側への切欠き長さが長い順に第１凹部、第２凹部、…第ｎ（ｎは３以上の自然数。以下、同様。）凹部とされており、
前記フランジには、各前記切欠き部に向かって突出する突出片が形成され、
各該突出片は、径方向外側への突出長さが異なる２つ以上の段部を先端に有し、
各該段部は、該突出片の先端側から径方向外側への突出長さが長い順に第１段部、第２段部、…第（ｎ−１）段部とされており、
該第（ｎ−２）段部は、該第（ｎ−２）凹部を挿通可能かつ該第（ｎ−１）凹部を挿通不能であるとともに、該第（ｎ−１）凹部より径方向外側に位置する該ケーシング本体の裏面に係止可能であることを特徴とするケーシング。
【請求項２】
前記ケーシング本体の表面に配置され、該ケーシング本体と前記フランジとの間で挟持される表面材を備えている請求項１記載のケーシング。
【請求項３】
前記切欠き部には、前記第１凹部を中心にして、前記第２凹部、…第ｎ凹部が順次左右に配置されている請求項１又は２記載のケーシング。
【請求項４】
前記ケーシング本体の裏面には、隣り合う各前記凹部の間に前記段部の係止を拘束する小突起が形成されている請求項３記載のケーシング。
【請求項５】
前記開口を覆うカバーを備えている請求項１乃至４のいずれか１項記載のケーシング。
【請求項６】
スピーカ、脱臭装置の給排気路及び暖房装置の送風路のいずれか１種が前記開口の内側に配置されている請求項１乃至５のいずれか１項記載のケーシング。
【請求項７】
便器の後部上面に設けられ、便器洗浄装置を内蔵する請求項１乃至６のいずれか１項記載のケーシング。
【発明の詳細な説明】
【技術分野】
【０００１】
本発明はケーシングに関する。
【背景技術】
【０００２】
特許文献１の図３に従来のケーシングが開示されている。このケーシングは、円形の開口を有するケーシング本体と、開口に取り付けられるスピーカのフランジとを備えている。開口の周縁の２ヶ所には切欠き部が形成されている。スピーカのフランジには、各切欠き部に向かって突出する突出片が形成されている。各突出片は径方向外側へ向かって突出する段部を先端に有している。各段部は、切欠き部を挿通可能かつ切欠き部以外の周縁を挿通不能であるとともに、切欠き部以外の周縁の径方向外側に位置するケーシング本体の表面に係止可能になっている。
【０００３】
このような構成である従来のケーシングは、ケーシング本体に対してスピーカのフランジを回動させることにより、ケーシング本体の開口に対してスピーカのフランジを容易に取り付けることができる。
【０００４】
【特許文献１】特開平１１−１５５１９２号公報
【発明の開示】
【発明が解決しようとする課題】
【０００５】
しかし、上記従来のケーシングは、厚みが特定の１種類のケーシング本体にしかフランジを取り付けることができず、ケーシング本体の開口にフランジを必ずしも確実に取り付けることができるものではなかった。つまり、フランジと突出片の段部との間隔に比べ、ケーシング本体の厚みが厚い場合、突出片の段部がケーシング本体の表面に係止不能となり、フランジを取り付けることができなかった。また、逆に、フランジと突出片の段部との間隔に比べ、ケーシング本体の厚みが薄い場合、突出片の段部とケーシング本体の表面との間に隙間が生じるため、フランジはがたついてしっかりと取り付けられることができなかった。
【０００６】
本発明は、上記従来の実情に鑑みてなされたものであって、ケーシング本体の開口にフランジを確実に取り付けることができるケーシングを提供することを解決すべき課題としている。
【課題を解決するための手段】
【０００７】
本発明のケーシングは、円形の開口を有するケーシング本体と、該開口に取り付けられるリング状のフランジとを備えているケーシングにおいて、
前記ケーシング本体には、前記開口の周縁の２ヶ所以上に切欠き部が形成され、
各該切欠き部は、径方向外側への切欠き長さが異なる３つ以上の凹部を有し、
各該凹部は、径方向外側への切欠き長さが長い順に第１凹部、第２凹部、…第ｎ（ｎは３以上の自然数。以下、同様。）凹部とされており、
前記フランジには、各前記切欠き部に向かって突出する突出片が形成され、
各該突出片は、径方向外側への突出長さが異なる２つ以上の段部を先端に有し、
各該段部は、該突出片の先端側から径方向外側への突出長さが長い順に第１段部、第２段部、…第（ｎ−１）段部とされており、
該第（ｎ−２）段部は、該第（ｎ−２）凹部を挿通可能かつ該第（ｎ−１）凹部を挿通不能であるとともに、該第（ｎ−１）凹部より径方向外側に位置する該ケーシング本体の裏面に係止可能であることを特徴とする。
【０００８】
このような構成であるケーシングにおいては、ケーシング本体側の厚みに応じて各段部のいずれかをケーシング本体の裏面に係止することができる。つまり、ケーシング本体側の厚みが異なるそれぞれの場合において、ケーシング本体の裏面との間に隙間を生じさせることなく段部を係止させることができるので、ケーシング本体の開口に対し、フランジががたつくことなく、フランジを確実に取り付けることができる。
【０００９】
したがって、本発明のケーシングでは、ケーシング本体の開口にフランジを確実に取り付けることができる。
【００１０】
本発明のケーシングは、ケーシング本体の表面に配置され、ケーシング本体とフランジとの間で挟持される表面材を備えていることが好ましい。この場合、表面材の厚みによりケーシング本体側の厚みが異なるため、その厚みに合わせて各段部のいずれかをケーシング本体の裏面に係止する。このため、厚みのある表面材であってもケーシング本体の表面に備えることができる。また、表面材によりケーシング本体の表面を装飾することができる。また、表面材に設けられた開口の端面はフランジにより隠蔽されるため、ケーシング本体の開口をすっきりとした外観にすることができる。表面材としては、革製、紙製又は樹脂製等の種々のものを採用することができる。
【００１１】
本発明のケーシングにおいて、切欠き部には、第１凹部を中心にして、第２凹部…第ｎ凹部が順次左右に配置されていることが好ましい。仮に、左右のどちらか一方向に順次各凹部を配置すると、フランジは一方向に回動することによりケーシング本体に取り付けられることになる。これに比べ、第１凹部を中心にして順次左右に凹部を配置すると、ケーシング本体側の厚みに応じて左右のどちらかにフランジを回動してケーシング本体に取り付けることになる。この場合、フランジの取付操作を明確に指示することが可能になる。
【００１２】
本発明のケーシングにおいて、ケーシング本体の裏面には、隣り合う各凹部の間に段部の係止を拘束する小突起が形成されていることが好ましい。この場合、フランジを回動し、段部をケーシング本体の裏面に係止する際、又はフランジを逆に回動し、係止を解除する際において、段部が小突起を乗り越えることになる。このため、係止、非係止を明確に認識することができる。また、小突起は、段部がケーシング本体の裏面に係止している状態を拘束するため、不意に係止が解除されてしまうことを防止することができる。
【００１３】
本発明のケーシングは、開口を覆うカバーを備えていることが好ましい。この場合、開口の内側に配置された機器が露出しないため、機器を保護することができる。カバーは、樹脂製、金属製等の種々のものを採用することができる。
【００１４】
本発明のケーシングは、スピーカ、脱臭装置の給排気路及び暖房装置の送風路のいずれか１種が前記開口の内側に配置されていることが好ましい。この場合、ケーシングに各種機器を内蔵し、開口を利用して各種機器の機能を発揮することができる。
【００１５】
本発明のケーシングは、便器の後部上面に設けられ、便器洗浄装置を内蔵することが好ましい。この場合、ケーシングの表面材を適宜選択することにより、便器の後部上面を装飾することができる。
【発明を実施するための最良の形態】
【００１６】
以下、本発明を具体化した実施例を図面を参照しつつ説明する。
【実施例】
【００１７】
図１及び図２に示すように、実施例のケーシングは、円形の開口１１を有するケーシング本体１０と、開口１１に取り付けられるリング状のフランジ２０とを備えている。
【００１８】
ケーシング本体１０には、開口１１の周縁の２ヶ所に切欠き部１００が形成されている。各切欠き部１００は、開口１１の中心に対して直径方向に形成されている。また、各切欠き部１００は、径方向外側への切欠き長さが異なる３つの凹部１１０、１２０、１３０を有している。各凹部１１０、１２０、１３０は、径方向外側への切欠き長さが長い順に第１凹部１１０、第２凹部１２０、第３凹部１３０とされている。また、第１凹部１１０を中心にして、周縁に沿った右回り方向で右側に第２凹部１２０、左側に第３凹部１３０が配置されている。また、ケーシング本体１０の裏面には、各切欠き部１００に対して、右回り方向で９０°ずれた位置に係止部１２が形成されている。ケーシング本体１０は樹脂製のものである。
【００１９】
フランジ２０には、各切欠き部１００に向かって突出する突出片２００が形成されている。各突出片２００は、径方向外側への突出長さが異なる２つの段部２１０、２２０を先端に有している。各段部２１０、２２０は、突出片２００の先端側から順に径方向外側への突出長さを短くし、長い順に第１段部２１０、第２段部２２０とされている。
【００２０】
第１段部２１０は、第１凹部１１０を挿通可能かつ第２凹部１２０を挿通不能であるとともに、第２凹部１２０より径方向外側に位置するケーシング本体１０の裏面に係止可能である。また、第２段部２２０は、第２凹部１２０を挿通可能かつ第３凹部１３０を挿通不能であるとともに、第３凹部１３０より径方向外側に位置するケーシング本体１０の裏面に係止可能である。フランジ２０は樹脂製のものである。
【００２１】
ケーシング本体１０の裏面には、図２に示すように、第１凹部１１０と第２凹部１２０との間に第１段部２１０の係止を拘束する小突起１１１が形成されている。また、ケーシング本体１０の裏面には、第１凹部１１０と第３凹部１３０との間に第２段部２２０の係止を拘束する小突起１１２が形成されている。
【００２２】
実施例のケーシングは、図１に示すように、開口１１を覆うカバー４０を備えている。カバー４０は２ヶ所に切欠き部４２が形成された鍔部４１を有している。カバー４０は金属製のものであり、底面には小孔が多数設けられている。
【００２３】
実施例のケーシングは、革製の表面材３０を備えることができる。この表面材３０は、開口１１より一回り大きい開口３１を有し、図３（ａ）、（ｂ）に示すように、ケーシング本体１０の表面に配置され、ケーシング本体１０とフランジ２０との間で挟持される。この場合のケーシングの組立て手順を説明する。
【００２４】
まず、図１に示すように、ケーシング本体１０の開口１１と表面材３０の開口３１との位置を合わせてケーシング本体１０に表面材３０を帖着する。次いで、ケーシング本体１０の開口１１に対してケーシング本体１０の裏面側からカバー４０を挿入する。その際、カバー４０の鍔部４１の切欠き部４２にケーシング本体１０の係止部１２を挿通する。その後、鍔部４１が係止部１２に係止される位置にカバー４０を回動する。このようにして、まず、カバー４０がケーシング本体１０に着脱可能に取り付けられる。
【００２５】
この後、ケーシング本体１０の表面側（表面材３０が帖着されている側）からフランジ２０の各突出片２００を切欠き部１００の第１凹部１１０に挿通する。その後、図３（ａ）に示すように、第１段部２１０が小突起１１１を越えることにより、第２凹部１２０に突出片２００が位置するようにフランジ２０をケーシング本体１０の裏面側から見て右回りに回動する。
【００２６】
図３（ｂ）にＡ−Ａ断面を示すように、この結果、第２凹部１２０より径方向外側に位置するケーシング本体１０の裏面に第１段部２１０が係止され、ケーシング本体１０とフランジ２０との間で革製の表面材３０を挟持する。このようにしてケーシング本体１０の表面に革製の表面材３０を備えたケーシングが組み立てられる。
【００２７】
また、実施例のケーシングは、図４（ａ）、（ｂ）に示すように、ケーシング本体１０の表面を塗装するのみ（塗装しない場合もあり得る）で、表面材３０を備えないこともある。この場合のケーシングの組立て手順を説明する。
【００２８】
まず、表面を塗装したケーシング本体１０を用意する。そして、上記と同様、カバー４０がケーシング本体１０に着脱可能に取り付けられる。この後、ケーシング本体１０の表面側（塗装されている側）からフランジ２０の各突出片２００を切欠き部１００の第１凹部１１０に挿通する。その後、図４（ａ）に示すように、第２段部２２０が小突起１１２を越えることにより、第３凹部１３０に突出片２００が位置するようにフランジ２０をケーシング本体１０の裏面側から見て左回りに回動する。
【００２９】
図４（ｂ）にＢ−Ｂ断面を示すように、この結果、第３凹部１３０より径方向外側に位置するケーシング本体１０の裏面に第２段部２２０が係止される。このようにしてケーシング本体１０の表面に表面材３０を備えないケーシングが組み立てられる。
【００３０】
実施例のケーシングを便器６０の後部上面に設けた場合を図５に示す。ケーシング本体１０の内部には便器洗浄装置（図示せず）が内臓されている。ケーシング本体１０の表面には革製の表面材３０が帖着されるか、塗装がされている。ケーシング本体１０に対して起倒回動可能な便座７０の表面にも表面材３０が帖着されるか、塗装がされている。ケーシング本体１０の左右側面には開口１１（図１参照）が形成され、その内側にスピーカ５０を配置している。開口１１にはフランジ２０が取り付けられ、開口１１を覆うカバー４０が備えられている。図示しないが、ケーシング本体１０は脱臭装置の給排気路及び暖房装置の送風路に面した開口を設けており、これら開口部も同様にフランジ及びカバーを有する構造になっている。
【００３１】
このような構成である実施例のケーシングにおいて、ケーシング本体１０の表面に革製の表面材３０を有するか否かによりケーシング本体１０側の厚みが異なる。これら２種類の厚みの開口１１に対して、ケーシング本体１０の裏面との間に隙間を生じさせることなく、段部２１０、２２０を係止させることができる。
【００３２】
したがって、実施例のケーシングは、フランジ２０ががたつくことなく、ケーシング本体１０の開口１１にフランジ２０を確実に取り付けることができる。
【００３３】
また、実施例のケーシングは、厚みのある革製の表面材３０をケーシング本体１０の表面に備えることができケーシング本体１０の表面を装飾することができる。また、表面材３０の開口３１の端面はフランジ２０により隠蔽されるため、ケーシング本体１０の開口１１をすっきりした外観にすることができる。
【００３４】
また、実施例のケーシングは、ケーシング本体１０の表面に革製の表面材３０を備える場合はフランジ２０を右回りに回動し、表面材３０が備えられない場合はフランジ２０を左回りに回動することにより、ケーシング本体１０にフランジ２０が取り付けられる。このため、左右のどちらに回動すればフランジ２０を取り付けられるかを明確に指示することが可能である。
【００３５】
また、実施例のケーシングは、小突起１１１、１１２により段部２１０、２２０がケーシング本体１０の裏面に係止されているか否かを明確に認識することができる。また、小突起１１１、１１２は、段部２１０、２２０のケーシング本体１０の裏面に係止している状態を拘束するため、不意に係止が解除されてしまうことを防止することができる。
【００３６】
また、実施例のケーシングは、ケーシング本体１０の開口１１を覆うカバー４０を備えているので、内部のスピーカ５０等が露出せず、スピーカ５０等を保護することができる。
【産業上の利用可能性】
【００３７】
本発明は各種ケーシング、特に便器の後部上面に設けられ、便器洗浄装置を内蔵するケーシングに利用可能である。
【図面の簡単な説明】
【００３８】
【図１】実施例のケーシングの要部を示す分解斜視図である。
【図２】実施例のケーシング本体の一部を示す斜視図である。
【図３】実施例のケーシング本体の表面に表面材を備えた場合を示し、図（ａ）は裏面図であり、図（ｂ）はＡ−Ａ矢視断面図である。
【図４】実施例のケーシング本体の表面に表面材を備えていない場合を示し、図（ａ）は裏面図であり、図（ｂ）はＢ−Ｂ矢視断面図である。
【図５】実施例のケーシングを便器に採用した状態を示す概略斜視図である。
【符号の説明】
【００３９】
１０…ケーシング本体
１１…開口
２０…フランジ
３０…表面材
４０…カバー
５０…スピーカ
６０…便器
１００…切欠き部
１１０…第１凹部
１１１、１１２…小突起
１２０…第２凹部
１３０…第３凹部
２００…突出片
２１０…第１段部
２２０…第２段部
【図１】
2008138459.tif 000003
【図２】
2008138459.tif 000004
【図３】
2008138459.tif 000005
【図４】
2008138459.tif 000006
【図５】
2008138459.tif 000007